(57)【要約】【課題】  下方に向かう光を遮光すると共に、積雪を抑制することが可能な遮光板を有する航空障害灯装置を提供する。【解決手段】  屋外に設置される建築構造物からなる被設置体１１と、被設置体１１に設置され発光部１３を有する航空障害灯１２と、被設置体１１に設置され発光部１３から下方に向かう光を遮光する遮光板１４と、遮光板１４に形成され発光部１３からの光を遮光するスリット状の貫通孔１５とを具備する航空障害灯装置を構成する。【選択図】        図２
2007059325.tif 000002
【特許請求の範囲】
【請求項１】
屋外に設置される建築構造物からなる被設置体と；
被設置体に設置され発光部を有する航空障害灯と；
被設置体に設置され発光部から下方に向かう光を遮光する遮光板と；
遮光板に形成され発光部からの光を遮光するスリット状の貫通孔と；
を具備することを特徴とする航空障害灯装置。
【請求項２】
屋外に設置される建築構造物からなる被設置体と；
被設置体に設置され発光部を有する航空障害灯と；
被設置体に水平面に対し上方に向かい傾斜させて設置し発光部から下方に向かう光を遮光する遮光板と；
を具備することを特徴とする航空障害灯装置。
【請求項３】
屋外に設置される建築構造物からなる被設置体と；
被設置体に設置され発光部を有する航空障害灯と；
被設置体に水平面に対し上方に向かい傾斜させて設置し発光部から下方に向かう光を遮光する遮光板と；
遮光板に形成され発光部からの光を遮光するスリット状の貫通孔と；
を具備することを特徴とする航空障害灯装置。
【請求項４】
前記遮光板は、雪を検出するセンサーにより制御される電熱装置を有することを特徴とする請求項１ないし３いずれか一に記載の航空障害灯装置。
【発明の詳細な説明】
【技術分野】
【０００１】
本発明は、送電線鉄塔等に設置される航空障害灯を備えた航空障害灯装置に関する。
【背景技術】
【０００２】
従来、航空法では、航空の障害となる建築構造物の存在を航空機に明示するために、地表または水面から６０ｍ以上の高さの物件には航空障害灯を設置しなければならないとされている。
【０００３】
一方、この種の航空障害灯において、中光度白色航空障害灯を設置する場合には、建築構造物である鉄塔等の昼間障害標識である赤と白の塗装が免除されるため、塗装費用の削減、景観の改善を図ることができる。
【０００４】
しかし、中光度白色航空障害灯は鉄塔の頂上及び中間部の高さ位置に設置され、所定間隔毎に閃光発光するものであり、周辺地域のグレアの影響評価が必要で、周辺地域の光度を規定光度の範囲に収める必要がある。
【０００５】
しかし、光度が規定の範囲内であっても、鉄塔が設置された周辺地域では閃光による眩しさを感じるなどの影響が発生する恐れがあり、このような場合には、閃光を伴う中光度白色航空障害灯の設置が難しくなる問題がある。
【０００６】
この問題を解決するため、例えば、特許文献１に示される航空障害灯装置が知られている。
【０００７】
特許文献１に示されるものは、送電線鉄塔に中光度白色航空障害灯及び遮光板を設置し、遮光板を中光度白色航空障害灯の周囲に水平に設置することにより、下方へ向かう光を遮光したものである。
【特許文献１】特開２００３−３３８２０３号公報
【発明の開示】
【発明が解決しようとする課題】
【０００８】
しかしながら、特許文献１に示される航空障害灯装置は、遮光板を中光度白色航空障害灯の周囲に水平に設置するものであり、積雪地帯の送電線鉄塔に設置した場合、遮光板に雪が積もり、しかも遮光板は面積が広く大きな平板形状をなしていることから、さらに雪が積もりやすい構成となっている。このため、大量の積雪に耐えるために、遮光板自体の強度を補強した頑丈な構成となす必要があると共に、送電線鉄塔もその重量に耐える強固な構成で建造する必要が生じる。
【０００９】
しかし、頑丈に遮光板を構成すると、遮光板自体の重量が増すこととなり、高所における鉄塔上での作業が困難となる新たな問題が生じる。
【００１０】
このため、航空障害灯装置においては、積雪地帯での遮光板への積雪を如何に防止するかが重要な課題となっている。
【００１１】
本発明は、上述した問題、課題を解決することを目的とし、下方に向かう光を遮光すると共に、積雪を抑制することが可能な遮光板を有する航空障害灯装置を提供しようとするものである。
【課題を解決するための手段】
【００１２】
請求項１に記載の航空障害灯装置の発明は、屋外に設置される建築構造物からなる被設置体と；被設置体に設置され発光部を有する航空障害灯と；被設置体に設置され発光部から下方に向かう光を遮光する遮光板と；遮光板に形成され発光部からの光を遮光するスリット状の貫通孔と；を具備することを特徴とする。
【００１３】
本発明によれば、被設置体に設置され発光部から下方に向かう光を遮光する遮光板と、遮光板に形成され発光部からの光を遮光するスリット状の貫通孔により、下方に向かう光を遮光すると共に、積雪を抑制することが可能な遮光板が構成される。
【００１４】
本発明において、屋外に設置される建築構造物からなる被設置体は、送電線鉄塔や無線鉄塔、煙突、橋桁、風力発電設備等の高さの高い建築構造物を許容する。
【００１５】
発光部を有する航空障害灯は、閃光を伴う発光部を有する中光度白色航空障害灯が好適であるが、これに限定されず低光度航空障害灯でも中光度赤色航空障害灯であってもよい。
【００１６】
遮光板は、一体の１枚の平板で構成しても、さらには、複数枚に分割して構成してもよい。
【００１７】
発光部から下方に向かう光を遮光する遮光板は、下方に向かう光を１００％完全に遮光することを意味しているのではなく、光の性質を考慮して決定された許容値を含めて遮光することを許容する。
【００１８】
発光部からの光を遮光するスリット状の貫通孔は、光は遮光し空気や水は通す、細く長い貫通したスリット孔で構成することが好ましいが、複数の丸孔または角穴等を直線状に配列して、各孔が全体として直線をなすスリット状に配置されて構成されたもの等でもよく、さらにスリットは直線状に限らずに円弧状または曲線状に配置されてもよく、孔の形状及びスリットの形状等は、特に限定されない。
【００１９】
スリット状の貫通孔は、水平に設置された遮光板においては、直進する光を遮光するように上方に向かって傾斜するように貫通させて形成してもよい。さらに、遮光板が水平面に対し上方に向かって傾斜して配置された場合には、略垂直方向に貫通させて形成してもよく、要は光を遮光し、空気や水は通過させるように形成した貫通する全ての孔を許容する。
【００２０】
さらに積雪を抑制し、かつ遮光板全体を軽量化するためにも、スリットは多数形成することが好ましいが、複数形成することが条件ではなく単一のスリットでもよく、遮光板の強度、積雪防止性能及び重量等を加味し、孔の個数を設計上で適宜選択すればよい。
【００２１】
複数に分割して遮光板を構成した場合、各遮光板に形成するスリット状の貫通孔の数、大きさ、傾斜角度は全て同一に形成しても、各遮光板の設置方向、環境等の条件に応じて異なるようにしてもよい。
【００２２】
また、スリット状の貫通孔により、発光部からの光を１００％完全に遮光することを意味しているのではなく、光の性質を考慮して決定された許容値を含めて遮光することを許容する。
【００２３】
請求項２に記載の航空障害灯装置の発明は、屋外に設置される建築構造物からなる被設置体と；被設置体に設置され発光部を有する航空障害灯と；被設置体に水平面に対し上方に向かい傾斜させて設置し発光部から下方に向かう光を遮光する遮光板と；を具備することを特徴とする。
【００２４】
本発明において、水平面に対し上方に向かい傾斜させて設置した遮光板の角度は、例えば、約３０度程度に傾斜させることが好ましいが、航空障害灯を設置する場所、気候環境、光源の種別、光の強さや方向、遮光板の形状や大きさ等を考慮して設計的に決定された全ての角度が許容される。
【００２５】
さらに、複数に分割して構成した遮光板においては、各遮光板の角度が全て同じ角度で上方に傾斜されていても、さらには、各遮光板の設置方向等の条件に応じて、各遮光板の傾斜角度を異ならせるようにしてもよい。
【００２６】
請求項３に記載の航空障害灯装置の発明は、屋外に設置される建築構造物からなる被設置体と；被設置体に設置され発光部を有する航空障害灯と；被設置体に水平面に対し上方に向かい傾斜させて設置し発光部から下方に向かう光を遮光する遮光板と；遮光板に形成され発光部からの光を遮光するスリット状の貫通孔と；を具備することを特徴とする。
【００２７】
請求項４に記載の発明は、請求項１ないし３いずれか一に記載の航空障害灯装置において、前記遮光板は、雪を検出するセンサーにより制御される電熱装置を有することを特徴とする。
【００２８】
雪を検出するセンサーは、積もった雪の高さや雪の重量を検出する積雪センサーでも、降雪状態を検知する降雪センサーであってもよい。
【００２９】
電熱装置は、発熱線を配置したシート状の電熱体を、例えば、平板状をなす遮光板の表面または裏面、さらには両面に設置したものでも、さらに、鋼板等の金属板からなる遮光板に直接電流を流して発熱させるようにしたものでもよく、その熱により遮光板の雪を溶かすための全ての電熱装置を許容する。
【発明の効果】
【００３０】
請求項１の発明によれば、被設置体に設置され発光部から下方に向かう光を遮光する遮光板と、遮光板に形成され発光部からの光を遮光するスリット状の貫通孔により、下方に向かう光を確実に遮光すると共に、積雪を抑制することが可能な遮光板を有する航空障害灯装置を提供することができる。
【００３１】
請求項２の発明によれば、被設置体に水平面に対し上方に向かい傾斜させて設置した遮光板により、下方に向かう光を確実に遮光すると共に、積雪を抑制することが可能な遮光板を有する航空障害灯装置を提供することができる。
【００３２】
請求項３の発明によれば、被設置体に水平面に対し上方に向かい傾斜させて設置した遮光板と、遮光板に形成され発光部からの光を遮光するスリット状の貫通孔により、下方に向かう光を確実に遮光すると共に、積雪を抑制することが可能な遮光板を有する航空障害灯装置を提供することができる。
【００３３】
請求項４の発明によれば、遮光板は、雪を検出するセンサーにより制御される電熱装置を有するので、下方に向かう光を確実に遮光すると共に、より一層、積雪を抑制することが可能な遮光板を有する航空障害灯装置を提供することができる。
【発明を実施するための最良の形態】
【００３４】
以下、本発明の航空障害灯装置の実施形態につき説明する。
【実施例１】
【００３５】
まず、航空障害灯装置の構成を図１〜図４に従い説明する。
【００３６】
１０は本発明の航空障害灯装置で、本発明の被設置体を構成する送電線鉄塔１１と、送電線鉄塔に設置され本発明の航空障害灯を構成する中光度白色航空障害灯１２と、中光度白色航空障害灯の発光部１３から下方に向かう光を遮光する遮光板１４と、遮光板に形成されたスリット状の貫通孔１５と、遮光板１４の上面に設置された電熱装置１６で構成する。
【００３７】
送電線鉄塔１１は、図１に示すように、地表からの高さが１０５ｍ以上、１５０ｍ未満の高さを有する鉄塔で、頂部に１台の航空障害灯装置１０が設置され、１０５ｍ以内の略中間部に位置する高さに、鉄塔の大きさによって２〜４台、本実施形態では４台の航空障害灯装置１０が設置されている。
【００３８】
この航空障害灯装置１０には、それぞれ中光度白色航空障害灯１２が設置され送電線鉄塔１１としては、上述したように昼間障害標識である赤白塗装が免除されている。
【００３９】
中光度白色航空障害灯１２は、図２に示すように、略円筒形の灯体１２ａと、灯体の下部に形成された取付部１２ｂからなり、灯体の上部周面に形成された開口にガラス等の光透過部材で構成した光透過部１２ｃを設ける。
【００４０】
光透過部１２ｃ内には、発光部１３が構成され、発光部は複数の灯器具１３ａが周方向に沿って等間隔に３台配置されている。
【００４１】
灯器具１３ａは、例えば、キセノンランプからなる光源１３ｂと、光源から放射される光を鉛直方向、つまり主として水平方向から上方に反射させる反射体１３ｃで構成する。
【００４２】
遮光板１４は図３に示すように、亜鉛メッキ鋼板等の金属板で構成し、正方形の４枚の遮光板１４ａと、２等辺の直角三角形をなす４枚の遮光板１４ｂからなり、中光度白色航空障害灯１２の周囲に、角度９０度毎に正方形の４枚の遮光板１４ａを配置し、正方形遮光板の間に三角形遮光板１４ｂを１枚ずつ配置し、全体として正八角形をなすように配置すると共に、各遮光板の表面が水平になるようにして設置する。
【００４３】
各遮光板１４の表面は、光の反射を抑制するために、例えば、つや消しの黒色塗装を施してもよい。
【００４４】
貫通孔１５は、図２（ｂ）に示すように、各遮光板１４の表面から裏面にわたって細長に貫通した直線をなすスリット状の孔で構成し、さらに貫通孔は傾斜して形成する。
【００４５】
すなわち、スリット状の貫通孔１５は、約４５度の角度ｋで上方に向かい傾斜させて形成し、水平にした遮光板１４を垂直方向から見た場合、孔が透過（貫通）して見えないように、すなわち、発光部１３から下方に向かう光は遮光し、空気や水は通すように構成する。
【００４６】
さらに、スリット状の貫通孔１５は、正方形遮光板１４ａの正方形の一辺に沿って平行で、かつ等間隔に同じ大きさのスリット５本形成し、三角形遮光板１４ｂには三角形の底辺に平行で、かつ等間隔に長さが順次短くなるスリット４本を形成し、全体として正八角形をなすように配置した際、各スリット状の貫通孔が八角の中心から略同心状で、筋状をなすように配置する。
【００４７】
因みに、本実施形態における中光度白色航空障害灯１２、遮光板１４及び各スリット状の貫通孔１５の寸法は、下記のように構成する。
【００４８】
中光度白色航空障害灯１２の高さ寸法ｈは約７００ｍｍ、灯体１２ａ上部の直径寸法ｄは約４５０ｍｍ。
【００４９】
遮光板１４の板厚寸法ａは約３．２ｍｍ、４枚の正方形遮光板１４ａの一辺の長さ、及び４枚の三角形遮光板１４ｂの等辺の長さ寸法ｂは約５００ｍｍ。
【００５０】
正方形遮光板１４ａにおけるスリット状の貫通孔１５の長さ寸法ｓ１は約４５０ｍｍ、幅寸法ｓ２は５〜２０ｍｍ、本実施形態では約１０ｍｍ、遮光板１４全体がなす正八角形の幅寸法ｗは約１５００ｍｍに構成する。
【００５１】
次に電熱装置１６の構成を説明すると、図４（ａ）に示すように、電熱装置１６は、電気絶縁性及び耐熱性を有する塩化ビニール等の合成樹脂シートに、電熱線を蛇行状に配置して構成し、正方形遮光板１４ａ及び三角形遮光板１４ｂと同じ大きさのシート状の電熱体に構成し、各遮光板１４ａ、１４ｂの上面に接着またはビス止め等の手段で、容易に剥がれないように強固に固定する。
【００５２】
シート状の電熱装置１６には、各遮光板の上面に固定した際に、遮光板のスリット状の貫通孔１５に対応した位置に、スリット状の貫通孔を形成し、遮光板のスリット状の貫通孔１５をシート状の電熱体で塞がないように構成する。
【００５３】
各遮光板に固定されたシート状の電熱装置１６は、積雪センサー１７に連動して動作する。
【００５４】
積雪センサー１７は、送電線鉄塔の管制器近傍に支柱の外側に突出して設置され、積もった雪の高さを検知する（図１）。
【００５５】
図４（ａ）に、概略的な電気回路構成を示すように、積雪センサー１７で検知したセンサー信号は、管制器のセンサー制御器に送信され、センサー制御器から電熱線制御信号として遮光板１４の電熱線コントローラーに送信して電熱装置１６のＯＮ．ＯＦＦ制御を行う。
【００５６】
電熱装置１６には中光度白色航空障害灯１２の配線ボックスを通じて管制器から電源が送電される。
【００５７】
なお、各遮光板１４ａ、１４ｂに固定されたシート状の電熱装置は、それぞれ直列に接続されて電熱線コントローラーに接続される。
【００５８】
次に、上記のように構成した、中光度白色航空障害灯１２と、スリット状の貫通孔１５及び電熱装置１６を有する遮光板１４を送電線鉄塔１１に設置した航空障害灯装置の構成を説明する。
【００５９】
まず、送電線鉄塔の頂部に設置する航空障害灯装置の構成につき、図５〜図６に従い説明する。
【００６０】
送電線鉄塔１１は、四角形の四隅に配置される４本の支柱２０が基礎から立設され、これら支柱が連結構造体２１によって互いに連結され、鉄塔上部に送電線を掛け渡すための送電線架設部２２が上下方向に複数段、本実施形態では２段にわたり設置されている（図１）。
【００６１】
送電線鉄塔１１の頂部には、４本の支柱２０が四隅に配置され、四角形の各辺に対応して隣り合う支柱が連結材２３によって連結され、さらにそれぞれ対角線上の位置する支柱間が連結材２４で連結され、一方の対向する辺に位置する連結材２３、２３の中間部分が連結材２５によって連結されている。
【００６２】
また、隣り合う支柱２０の側面はＸ字形に組み合わされる連結材２６などによって連結される。
【００６３】
Ｘ字形に組み合わされる連結材２６の略中間部分に水平な設置台２７が設置され、設置台には高さ調整架台２８が設置される。
【００６４】
高さ調整架台２８は、中光度白色航空障害灯１２の種類に応じて対応する高さ寸法及び取付構造のものが選択されて用いられ、下部が設置台２７に取付けられ、上部に中光度白色航空障害灯の取付部１２ｂを取付ける。
【００６５】
これにより、設置台２７が、連結材２３と対角線上に位置する連結材２４、２４の間を通じて上方に臨み、水平な状態で設置される。
【００６６】
また、設置台２７の上方に位置して、鉄塔の連結材２３、２４、２５に、支持材２９を介して遮光板１４を支持するための支持台３０が設置される。
【００６７】
支持台３０は、枠材により八角形の構造体として構成され、中心に中光度白色航空障害灯１２の円筒状をなす灯体１２ａが挿入される開口部を有し、各連結材２３、２４、２５に八角形の構造体が略水平状態になるようにして設置される。
【００６８】
上記のように設置された支持台３０に、中光度白色航空障害灯１２及びに遮光板１４が設置される。すなわち、支持台中心の開口部に中光度白色航空障害灯１２の円筒状の灯体１２ａを挿入し、取付部１２ｂを高さ調整架台２８に取付ける。
【００６９】
これにより、支持台３０に中光度白色航空障害灯１２の灯体１２ａが埋め込まれた状態で配置され、灯体１２ａの上面が連結材２３と対角線上の位置する連結材２４、２４の間を通じて上方に臨み、かつ灯体１２ａが水平な状態で送電線鉄塔１１に設置される。
【００７０】
さらに、八角形の構造体からなる支持台３０上面に、中光度白色航空障害灯１２の周囲に位置して、角度９０度毎に正方形の４枚の遮光板１４ａを配置し、正方形の遮光板の間に三角形の遮光板１４ｂを１枚ずつ配置し、全体として正八角形をなすように配置して固定する（図６）。
【００７１】
また、図２（ａ）に示すように、遮光板１４は、略水平の状態にして配置される。すなわち、遮光板の外端部の位置が、中光度白色航空障害灯１２の発光部１３の高さ位置より下方であって、発光部を基準とする水平面をｘ、この水平面ｘに対する下方への鉛直角をｙとした場合、鉛直角ｙ＝５度より下方の位置である図中斜線領域ｚ内に、遮光板１４は設置される。
【００７２】
これにより、遮光板１４のスリット状の貫通孔１５は、この水平面ｘに対し約４５度の角度ｋで上方に向かい傾斜させた状態で設置され、発光部１３から放射され下方に向かう光は上方に傾斜したスリット状の貫通孔１５の内壁で遮られて遮光される。しかし雨水及び雪や雪解け水は貫通孔を通って下方に排水され、同時に風も貫通孔を通るようになる。
【００７３】
次に、送電線鉄塔１１の略中間部の位置に設置される航空障害灯装置の構成につき、図７に従い説明する。
【００７４】
略中間部に設置される航空障害灯装置１０も、上述した頂部に設置される航空障害灯装置１０と同様に構成されるが、送電線鉄塔１１の支柱２０の略中間部に設置するため、設置台２７の支持構造が異なっている。
【００７５】
すなわち、略中間部に設置される設置台２７は、送電線鉄塔１１の支柱２０の外側に突出して設置されるため、支柱に連結された支持材３１及び斜めに連結された連結材３２で水平になるように設置される。
【００７６】
さらに、設置台２７の上方に位置して支持材２９により遮光板１４を支持するための支持台３０が設置される。
【００７７】
上記のように設置された設置台２７及び支持台３０に、上述した頂部における航空障害灯装置１０と同じ構成の中光度白色航空障害灯１２及びスリット状の貫通孔１５及び電熱装置１６を有する遮光板１４を、同様の手順及び構成によって設置する。
【００７８】
この場合、設置台２７と支持台３０間の寸法は、頂部に設置した場合における設置台２７と支持台３０間の寸法と同一に構成している。このため、頂部に設置する場合と略中間部に設置する場合において、同一仕様の中光度白色航空障害灯１２及び高さ調整台２８を用いても、中光度白色航空障害灯１２と遮光板１４との位置関係が同一になる。
【００７９】
なお、送電線鉄塔１１の略中間部に設置する場合には、航空障害灯装置１０が鉄塔の外側に突出して設置されるため、送電線鉄塔１１方向へは鉄塔自体で遮光が行える場合もあり、この場合には送電線鉄塔の支柱側に位置する遮光板を省略するようにしてもよい。
【００８０】
上記に説明した略中間部に設置された航空障害灯装置１０は、４本の支柱の略同一の高さに位置させて、それぞれ１台ずつ計４台を設置する。
【００８１】
なお、上述した頂部及び略中間部に設置した航空障害灯装置１０において、各連結材２３、２４、２５、２６、設置台２７、高さ調整架台２８、中光度白色航空障害灯１２の取付部１２ｂ、支持台３０等は鋼材で構成し、それぞれを連結するための取付け手段は、図示しないボルト、ナットなどの連結具によって行われる。
【００８２】
次に、上記に構成された航空障害灯装置１０の作動につき説明する。
【００８３】
送電線鉄塔１１の頂部及び略中間部に設置された航空障害灯装置１０の中光度白色航空障害灯１２は、それぞれキセノンランプを光源とした発光部１３が所定間隔毎に閃光発光する。
【００８４】
すなわち、送電線鉄塔１１に設置された周辺照度検出器（図示せず）により、鉄塔周辺照度を検出し、周辺照度が基準値より高い場合には昼間モードで、周辺照度が基準値より低い場合には夜間モードで発光する。
【００８５】
図４（ｂ）に示すように、昼間モードでは発光部を１．５秒間隔で単発光させて実効光度を高める。また、夜間モードでは発光部を１．５秒間隔で群発光させて実効光度を低める。
【００８６】
上記のように、送電線鉄塔１１の頂部及び略中間部に設置された、それぞれの中光度白色航空障害灯１２は、発光部１３から閃光発光した光が反射体１３ｃで反射され、主として水平面ｘから上方に向かって放射されて航空機に送電線鉄塔１１の存在を標示する。
【００８７】
この際、発光部１３から発光した光の内、水平面より下方であって所定の鉛直角以下の方向に向かう光は遮光板１４により、鉄塔全周にわたって遮光され、鉄塔の周辺地域で眩しさを感じる等の影響を抑制する。
【００８８】
遮光板１４は送電線鉄塔１１に対して略水平に設置されており、風圧の影響を低減することができ、遮光板自体の強度的な影響や、遮光板を設置した鉄塔への強度的な影響も低減する。
【００８９】
さらに、遮光板１４のスリット状の貫通孔１５により、上方及び下方から吹く風も貫通孔１５を通過させることができ、上下方向からの風による風圧も低減する。
【００９０】
雨が降った場合、雨水は遮光板１４のスリット状の貫通孔１５から下方に排水されて、遮光板の上面に溜まることがなく、雨水の滞留による遮熱板の重量増による強度的な影響も低減する。
【００９１】
降雪があった場合、雪や解けた水はスリット状の貫通孔１５を通過して排出され積もることがない。
【００９２】
大量の降雪があり、遮光板１４に雪が積もってしまった場合には、積雪センサー１７が積雪状態を検知して電熱装置１６を作動させ、雪を解かしてスリット状の貫通孔１５から排水させる。これにより雪の積雪重量による遮光板１４の強度的な影響が起きない。
【００９３】
上記実施形態において、遮光板１４を送電線鉄塔１１に対して略水平に位置させて設置したが、水平面に対し上方に向かい傾斜させて設置してもよい。
【００９４】
すなわち図８（ａ）に示すように、遮光板１４の一方の外端部を中光度白色航空障害灯１２の取付部１２ｂに設置し、他方の外端部を上方に向かい約３０度の角度ｓをもって傾斜させて設置する。
【００９５】
また、遮光板１４のスリット状の貫通孔１５は、傾斜して設置した遮光板に対して略垂直方向に貫通させ、発光部１３から放射される下方に向かう光は垂直に形成されたスリット状の貫通孔の内壁で遮られて遮光される。しかし雨水及び雪や雪解け水は垂直の貫通孔１５を通って下方に排水され、同時に風も貫通孔を通るようにする。
【００９６】
大量の降雪があり、傾斜した遮光板１４に万一雪が積もってしまった場合には、積雪センサー１７が積雪状態を検知して電熱装置１６を作動させ、雪を解かしてスリット状の貫通孔１５から排水させる。
【００９７】
これにより、上記実施形態と同様に、航空機に送電線鉄塔１１の存在を標示し、下方向に向かう光は傾斜した遮光板１４によって遮光して、鉄塔の周辺地域で眩しさを感じる等の影響を抑制する。
【００９８】
さらに、遮光板１４のスリット状の貫通孔１５により、風を通過させることができ風圧も低減する。
【００９９】
また、雨が降った場合、降雪があった場合も遮光板１４のスリット状の貫通孔１５から下方に排水し遮光板１４の強度的な影響も低減する。
【０１００】
遮光板１４は上方に傾斜して設置されているので、雨及び雪や、雪解け水は傾斜に沿って速やかに排出され、特に雪が積もり難くなり、電熱装置１６を省略することも可能となる。
【０１０１】
上記実施形態において、各遮光板１４に形成したスリット状の貫通孔１５の数、大きさ、傾斜角度は全て同一の角度に形成したが、各遮光板１４の設置方向、環境等の条件に応じて、各貫通孔１５の数、大きさ及び傾斜角度を異ならせるようにしてもよい。
【０１０２】
また、電熱装置１６は遮光板１４の上面に設けたが、遮光板の下面に設けてもよい。
【０１０３】
上記実施形態は、中光度白色航空障害灯を用いた航空障害灯装置を構成したが、装置に用いる航空障害灯は低光度航空障害灯でも中光度赤色航空障害灯でもよい。
【０１０４】
上記構成の航空障害灯装置によれば、送電線鉄塔の頂部及び略中間部に設置された、それぞれの中光度白色航空障害灯１２により、発光部１３から発光した光が反射体１３ｃで反射され主として水平面ｘから上方に向かって放射され、航空機に送電線鉄塔の存在を標示することができる。
【０１０５】
発光部１３から発光した光の内、水平面より下方に向向かう光は遮光板１４によって確実に遮光され、鉄塔の周辺地域で眩しさを感じる等の影響を抑制することができる。
【０１０６】
遮光板１４は送電線鉄塔１１に対して略水平に設置されており、風圧の影響を低減することができる。
【０１０７】
遮光板１４のスリット状の貫通孔１５により、上方及び下方から吹く風も貫通孔を通過させることができ、上下方向からの風による風圧も低減することができる。
【０１０８】
雨が降った場合や降雪があった場合、雨水及び雪や、解けた水はスリット状の貫通孔１５を通過して排出することができる。
【０１０９】
大量の降雪があり、遮光板１４に雪が積もってしまった場合にも、電熱装置１６を作動させ、雪を解かしてスリット状の貫通孔１５から排水させることができる。
【０１１０】
また、遮光板１４にはスリット状の貫通孔１５が形成されているので、遮光板の重量を軽減することができる。
【０１１１】
遮光板１４は正方形の４枚の遮熱板１４ａと、三角形の４枚の遮光板１４ｂに分割して構成したので、スリット状の貫通孔１５による軽量化と相まって、個々の遮光板が軽量化及び小形化され、高所での搭上作業を楽に行うことができる。
【０１１２】
中光度白色航空障害灯１２は、設置台２７に高さ調整架台２８を介して設置するので、各種の異なる航空障害灯を設置することができ汎用性を高めることができる。
【０１１３】
送電線鉄塔１１の頂部に設置した設置台２７と支持台３０間の寸法と、中間部に設置した設置台２７と支持台３０間の寸法を同一に構成しているので、同一仕様の中光度白色航空障害灯１２及び遮光板１４を、頂部及び中間部に共通して使用することができ汎用性がよくなる。
【０１１４】
以上、本発明の好適な実施形態を説明したが、本発明は上述の実施形態に限定されることなく、本発明の要旨を逸脱しない範囲内において、種々の設計変更を行うことができる。
【図面の簡単な説明】
【０１１５】
【図１】本発明の実施形態における送電線鉄塔を概略的に示す側面図。
【図２】本発明の実施形態における航空障害灯装置を示し、（ａ）は航空障害灯と遮光板との位置関係を示す説明図、（ｂ）は（ａ）におけるＡ部を拡大して示す断面図。
【図３】同じく航空障害灯装置の遮光板を示す平面図。
【図４】同じく航空障害灯装置の作動を説明するもので、（ａ）は概略的な電気回路構成を示す説明図、（ｂ）は発光タイミングを示すタイミングチャート。
【図５】同じく送電線鉄塔の頂部に設置された航空障害灯装置を示す側面図。
【図６】同じく送電線鉄塔の頂部に設置された航空障害灯装置を示す平面図。
【図７】同じく送電線鉄塔の略中間部に設置された航空障害灯装置を示す側面図。
【図８】同じく航空障害灯装置の変形例を示し、（ａ）は航空障害灯と遮光板との位置関係を示す説明図、（ｂ）は（ａ）におけるＢ部を拡大して示す断面図。
【符号の説明】
【０１１６】
１０  航空障害灯装置
１１  被設置体（送電線鉄塔）
１２  航空障害灯（中光度白色航空障害灯）
１３  発光部
１４  遮光板
１５  貫通孔
１６  電熱装置
【図１】
2007059325.tif 000003
【図２】
2007059325.tif 000004
【図３】
2007059325.tif 000005
【図４】
2007059325.tif 000006
【図５】
2007059325.tif 000007
【図６】
2007059325.tif 000008
【図７】
2007059325.tif 000009
【図８】
2007059325.tif 000010